(57)【特許請求の範囲】
【請求項１】
外部の音声を取得する音声取得手段と、
音声を再生する再生手段と、
前記音声取得手段で取得された取得音声と、前記再生手段で再生中の再生音声とを照合する照合手段と、
前記照合手段による照合結果に基づいて、前記取得音声が、前記再生中の前記再生音声のうち、まだ再生されていない部分に対応していると判断した場合には、当該対応部分以降の部分を繰り上げて再生するように再生条件を制御する制御手段とを備えることを特徴とする言語学習装置。
【請求項２】
請求項１記載の言語学習装置において、
前記制御手段は、前記対応部分以降の部分を繰り上げて再生する際には、現在の再生位置から前記対応部分までは再生を飛ばす再生条件にすることを特徴とする言語学習装置。
【請求項３】
請求項１記載の言語学習装置において、
前記制御手段は、前記対応部分以降の部分を繰り上げて再生する際には、現在の再生位置から前記対応部分までの再生速度を速くする再生条件にすることを特徴とする言語学習装置。
【請求項４】
請求項１〜３のいずれか一項に記載の言語学習装置において、
前記制御手段は、前記照合手段による照合結果に基づいて、前記取得音声が、前記再生中の前記再生音声のうち、再生されてから所定時間経過した部分に対応していると判断した場合には、当該第二の対応部分を繰り下げて再生するように再生条件を制御することを特徴とする言語学習装置。
【請求項５】
請求項４記載の言語学習装置において、
前記制御手段は、前記第二の対応部分を繰り下げて再生する際には、現在の再生位置で一旦再生を中断する再生条件にすることを特徴とする言語学習装置。
【請求項６】
請求項４記載の言語学習装置において、
前記制御手段は、前記第二の対応部分を繰り下げて再生する際には、現在の再生速度を遅くする再生条件にすることを特徴とする言語学習装置。
【請求項７】
外部の音声を取得する音声取得ステップと、
音声を再生する再生ステップと、
前記音声取得ステップで取得された取得音声と、前記再生ステップで再生中の再生音声とを照合する照合ステップと、
当該照合結果に基づいて、前記取得音声が、前記再生中の前記再生音声のうち、まだ再生されていない部分に対応していると判断した場合には、当該対応部分以降の部分を繰り上げて再生するように再生条件を制御する再生条件制御ステップとを含むことを特徴とする言語学習方法。
【請求項８】
言語学習装置が備えるコンピュータを、
外部の音声を取得する音声取得手段と、
音声を再生する再生手段と、  前記音声取得手段で取得された取得音声と、前記再生手段で再生中の再生音声とを照合する照合手段と、
前記照合手段による照合結果に基づいて、前記取得音声が、前記再生中の前記再生音声のうち、まだ再生されていない部分に対応していると判断した場合には、当該対応部分以降の部分を繰り上げて再生するように再生条件を制御する制御手段として機能させることを特徴とするプログラム。 
【発明の詳細な説明】
【技術分野】
【０００１】
本発明は、言語学習装置、言語学習方法及びプログラムに関する。
【背景技術】
【０００２】
従来、音声出力の可能な電子辞書装置などの言語学習装置では、内部に記憶した模範音声と、ユーザによる発声音声とを比較して評価することにより、学習効果を高めるようになっている（例えば、特許文献１参照）。
【０００３】
ところで、近年、音声学習の手法として、シャドーイングなど、再生された模範音声から所定のタイミングだけ遅れて復唱する手法が注目されている。なお、シャドーイングとは、いわゆる逐次リピーティングであり、直前に模範音声として再生された単語や文章を復唱する手法である。
【先行技術文献】
【特許文献】
【０００４】
【特許文献１】特開平１１−２９６０６０号公報
【発明の概要】
【発明が解決しようとする課題】
【０００５】
ここで、ユーザが何度も同じ規範音声を繰り返してシャドーイングを行っていると、その規範音声自体を覚えてしまい、再生中の規範音声と同時或いは追い越してユーザが発声することが想定される。シャドーイングの本質は、「聞こえた音の通りに発声する」ことであり、再生中の規範音声と同時或いは追い越して発声してしまうと学習効果が下がってしまうと言われている。
さらに、シャドーイング中においては、再生中の規範音声と、自分の発声音とがユーザに聞こえてしまうために、ユーザ自身が再生中の規範音声と同時或いは追い越して発声していることを自覚しにくい状況でもある。
このため、本発明の課題は、再生中の規範音声と同時或いは追い越してユーザが発声してしまうことを抑制し、言語の学習効率を高めることである。
【課題を解決するための手段】
【０００６】
本発明の態様では、
外部の音声を取得する音声取得手段と、
音声を再生する再生手段と、
前記音声取得手段で取得された取得音声と、前記再生手段で再生中の再生音声とを照合する照合手段と、  前記照合手段による照合結果に基づいて、前記取得音声が、前記再生中の前記再生音声のうち、まだ再生されていない部分に対応していると判断した場合には、当該対応部分以降の部分を繰り上げて再生するように再生条件を制御する制御手段とを備えることを特徴とする言語学習装置が提供される。
【発明の効果】
【０００７】
本発明によれば、再生中の規範音声と同時或いは追い越してユーザが発声してしまうことを抑制することができ、言語の学習効率を高めることが可能となる。
【図面の簡単な説明】
【０００８】
【図１】（ａ）は電子辞書の概略構成を示す平面図であり、（ｂ）はタブレットパソコンを示す平面図である。
【図２】電子辞書の機能構成を示すブロック図である。
【図３】本実施形態に係るシャドーイング学習処理の流れを示すフローチャートである。
【図４】正常にシャドーイング学習が行われているときの出力音声波形及び入力音声波形を示す説明図である。
【図５】音声出力部から出力された音声を追い抜いてシャドーイング学習が行われているときの出力音声波形及び入力音声波形を示す説明図である。
【図６】音声出力部から出力された音声から大幅に遅れてシャドーイング学習が行われているときの出力音声波形及び入力音声波形を示す説明図である。
【発明を実施するための形態】
【０００９】
以下、添付図面を参照して、本発明に係る言語学習装置を電子辞書に適用した場合の実施形態の一例を詳細に説明する。ただし、発明の範囲は、図示例に限定されない。
【００１０】
［１  外観構成］
図１（ａ）は、電子辞書１の平面図である。
なお、本発明に係る言語学習装置としての電子辞書１は、日本人のユーザが使用する場合を例示して説明する。日本人以外の外国人が母国以外の言語を学習する際においても本発明に係る構成は有効である。
【００１１】
図１（ａ）に示すように、電子辞書１は、メインディスプレイ１０、サブディスプレイ１１、カードスロット１２、及びキー群２を備えている。
【００１２】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１３】
カードスロット１２は、種々の情報を記憶した外部情報記憶媒体１２ａ（図２参照）を着脱可能に設けられている。
【００１４】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇと、音声キー２ｈ等とを有している。
【００１５】
訳／決定キー２ｂは、各種処理の実行、見出し語の決定等に使用されるキーである。文字キー２ｃは、ユーザによる文字の入力等に使用されるキーであり、本実施形態においては、“Ａ”〜“Ｚ”キーを備えている。
【００１６】
カーソルキー２ｅは、画面内にあるカーソルの移動等に使用されるキーであり、本実施形態においては上下左右の方向を指定可能となっている。
戻るキー２ｇは、前回表示した画面に戻るとき等に使用されるキーである。
音声キー２ｈは、選択された語句や会話文を音声で出力するためのキーである。
【００１７】
［２  内部構成］
続いて、電子辞書１の内部構成について説明する。図２は、電子辞書１の内部構成を示すブロック図である。
【００１８】
この図に示すように、電子辞書１は、表示部４０、入力部３０、音声出力部５０、音声入力部５５、記録媒体読取部６０、ＣＰＵ（Central Processing Unit）２０、記憶部８０、通信部９０を備え、各部はバスで相互にデータ通信可能に接続されて構成されている。
【００１９】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２０】
入力部３０は、上述のキー群２やタッチパネル１１０を備えており、押下されたキーやタッチパネル１１０の位置に対応する信号をＣＰＵ２０に出力するようになっている。
【００２１】
音声出力部５０は本発明に係る再生手段であり、例えばスピーカなどを備え、ＣＰＵ２０が記憶部８０から読み出し再生した音声データを出力するようになっている。
音声入力部５５は本発明に係る音声取得手段であり、例えばマイクなどを備え、外部からの音声を取得するようになっている。
【００２２】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２３】
ここで、外部情報記憶媒体１２ａには、辞書データベース等が格納されるようになっている。なお、この辞書データベースは後述の記憶部８０における英和データベース群８２と言語は異なるものの同様のデータ構造を有しているため、ここでは説明を省略する。
【００２４】
ＣＰＵ２０は、本発明に係る制御手段であり、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に保存するとともに、当該処理結果を表示部４０に適宜出力させる。
【００２５】
記憶部８０は、電子辞書１の各種機能を実現するためのプログラムやデータを記憶するとともに、ＣＰＵ２０の作業領域として機能するメモリである。本実施形態においては、記憶部８０は、本発明に係るプログラムとしてのシャドーイング学習制御プログラム８１と、英和データベース群８２とを記憶している。なお、本実施形態では英和データベース群８２のみを示しているが、その他の日本語−外国語のデータベース群や、外国語−外国語のデータベース群も記憶部８０に記憶されている。
【００２６】
シャドーイング学習制御プログラム８１は、後述のシャドーイング学習処理（図３参照）をＣＰＵ２０に実行させるためのプログラムである。
【００２７】
英和データベース群８２は、英和辞書データベース８２１と、英語音声会話コンテンツ８２２とを備えている。
英和辞書データベース８２１は、英語の語句と、その語句の日本語訳とを対応付けて複数記憶している。
英語音声会話コンテンツ８２２は、英語の会話文と、その英語の会話文の音声データと、その会話文の日本語訳とを対応付けて複数記憶している。
【００２８】
通信部９０は、無線或いは有線によって例えばインターネットＮなどの回線を通じて外部のサーバ装置１００と通信自在になっており、サーバ装置１００から情報を読み取ったり、サーバ装置１００に情報を送信したりするようになっている。
【００２９】
［３  動作］
続いて、電子辞書１の動作について、図面を参照しつつ説明する。
【００３０】
図３は、ＣＰＵ２０がシャドーイング学習制御プログラムを読み出して実行するシャドーイング学習処理の流れを示すフローチャートである。
【００３１】
ＣＰＵ２０によって、シャドーイング学習制御プログラム８１が実行されると、シャドーイング学習処理が開始する。
ステップＳ１では、ＣＰＵ２０は、ユーザにより選択された英語の会話文の音声データを英語音声会話コンテンツ８２２から読み出し、音声出力部５０を制御することにより音声データを再生する。この再生時においては、ＣＰＵ２０は、音声入力部５５を制御して、外部からの音声を取得可能な状態（音声入力状態）を維持している。
【００３２】
ステップＳ２では、ＣＰＵ２０は、音声データの再生及び音声入力状態を継続させたまま所定時間経過させる。
ステップＳ３では、ＣＰＵ２０は、所定時間経過分の入力音声波形（取得音声）を基準波形として抽出する。
図４は、正常にシャドーイング学習が行われているときの出力音声波形及び入力音声波形を示す説明図である。図４に示すように、入力音声波形のうち、直近の所定時間経過分の基準波形Ｗ１が抽出される。
【００３３】
ステップＳ４では、ＣＰＵ２０は、再生音声である出力音声波形のうち、基準波形Ｗ１と同時間帯のものを基準段階Ｐとし、その基準段階Ｐから前後に所定間隔で複数段階ずらして、各段階Ｐ-1〜Ｐ-5，Ｐ1〜Ｐ5と基準波形Ｗ１とを照合して、類似度を算出する。つまり、ＣＰＵ２０が本発明に係る照合手段である。
なお、音声データは英語音声会話コンテンツ８２２内に記憶されているので、当該音声データの全体の音声波形（出力音声波形）は、再生前でも認識可能となっている。つまり、ＣＰＵ２０が音声データを読み出した時点で当該音声データの音声波形（音声データの波形）をＣＰＵ２０は認識することになる。
【００３４】
ステップＳ５では、ＣＰＵ２０は、各段階（基準段階Ｐ、段階Ｐ-1〜Ｐ-5，Ｐ1〜Ｐ5）の類似度に閾値（例えば類似度７０％）を超えたものがあるか否かを判断し、越えたものがあると判断した場合にはステップＳ６に移行して、全てが閾値以下であると判断した場合にはステップＳ１２に移行する。なお、閾値については、種々の実験、シミュレーション等によって効果的な値が適宜用いられている。
【００３５】
ステップＳ６では、ＣＰＵ２０は、閾値を超えた段階のうち、最も類似度の高い最類似段階（図４の場合では段階Ｐ-5）を選択する。
ステップＳ７では、ＣＰＵ２０は、基準波形Ｗ１と最類似段階Ｐ-5との時間差ΔＳを算出する。
【００３６】
ステップＳ８では、ＣＰＵ２０は、時間差ΔＳが所定範囲内に収まっているか否かを判断し、収まっている場合には、正常のシャドーイング学習が行われていると判断してステップＳ１２に移行し、収まっていない場合には不適切なシャドーイング学習が行われていると判断してステップＳ９に移行する。時間差ΔＳは、基準波形Ｗ１の開始時間から最類似段階Ｐ-5の開始時間を差し引いた値である。このため、最類似段階Ｐ-5が基準波形Ｗ１よりも遅れている場合には時間差ΔＳは負の値となる。また、最類似段階Ｐ-5が基準波形Ｗ１に対して同時である場合には時間差ΔＳはゼロとなる。
【００３７】
具体的には、時間差ΔＳが所定時間よりも大きい場合には、出力音声波形の最類似段階Ｐ-5が出力された後に基準波形Ｗ１が入力されたことになり、音声出力部５０から出力された音声を追い越さずにユーザが発声していることになる。
図５は、音声出力部５０から出力された音声を追い抜いてシャドーイング学習が行われているときの出力音声波形及び入力音声波形を示す説明図である。この場合、基準波形Ｗ２に対する最類似段階は段階Ｐ１とする。時間差ΔＳは負の値であり、所定時間よりも小さいために、基準波形Ｗ２の中には、まだ再生されていない部分（段階Ｐ１内に含まれる出力音声波形のうち、点線部分：対応部分Ｔ１）が含まれていることになる。つまり、時間差ΔＳが所定時間よりも小さい場合には、出力音声波形の最類似段階Ｐ１が出力し終える前に基準波形Ｗ２が入力されたことになり、音声出力部５０から出力された音声と同時或いは追い越してユーザが発声していることになる。
【００３８】
図６は、音声出力部５０から出力された音声から大幅に遅れてシャドーイング学習が行われているときの出力音声波形及び入力音声波形を示す説明図である。
この場合、基準波形Ｗ３に対する最類似段階は段階Ｐ-nとする。時間差ΔＳが所定時間よりもあまりにも大きいために、出力された音声から大幅に遅れてユーザが発声していることが想定される。この場合においても、シャドーイング学習としては不適切である。このため、所定範囲としては、シャドーイング学習に適した範囲が設定されることが重要であり、本実施形態では、下限値を所定時間（例えば０．５秒）とし、上限値を０．８秒としている。
【００３９】
ステップＳ９では、ＣＰＵ２０は、時間差ΔＳが所定範囲の下限値を下回っているか否かを判断し、下回っている場合（図５参照）には、基準波形Ｗ２の一部が、再生中の音声データのうち、まだ再生されていない部分（対応部分Ｔ１）に対応していると判断してステップＳ１０に移行し、下回っていない場合、つまり所定範囲の上限値を上回っている場合（図６参照）には、基準波形Ｗ３が、再生中の音声データのうち、再生されてから所定時間経過した部分（段階Ｐ-n内に含まれる出力音声波形全体：第二の対応部分Ｔ２）に対応していると判断してステップＳ１１に移行する。
【００４０】
ステップＳ１０では、ＣＰＵ２０は、対応部分Ｔ１以降の部分を繰り上げて再生するように再生条件を制御する。具体的には、ＣＰＵ２０は、現在の再生位置から前記対応部分までは再生を飛ばす再生条件にする。これにより、ユーザが追い越して発声していた部分がユーザの発声内容よりも先に瞬時に繰り上げられることになり、シャドーイング学習に適した状態に変更されることになる。
【００４１】
ステップＳ１１では、ＣＰＵ２０は、第二の対応部分Ｔ２を繰り下げて再生するように再生条件を制御する。具体的には、ＣＰＵ２０は、現在の再生位置で一旦再生を中断する再生条件にする。これにより、出力された音声から大幅に遅れてユーザが発声していた部分がユーザの発声内容よりも瞬時に先に繰り上げられることになり、シャドーイング学習に適した状態に変更されることになる。
【００４２】
ステップＳ１２では、ＣＰＵ２０は、音声データが最後まで再生されたか否かを判断し、再生されていないと判断した場合にはステップＳ２に移行して、最後まで再生されたと判断した場合には処理を終了する。
【００４３】
［４  効果］
以上のように、本実施形態によれば、入力音声波形と、出力音声波形とを照合しているので、当該照合によって、出力音声波形に対して入力音声波形が同時となっている場合や、出力音声波形に対して入力音声波形が追い越している場合、或いは出力音声波形に対して入力音声波形が大幅に遅れている場合などを検出することができる。そして、この照合結果に基づいて、入力音声波形が設定された時間範囲内に再生された再生音声（出力音声波形）に対応するように当該再生音声の再生条件が制御されることにより、シャドーイング学習に適した状態となるように自動で再生音声の再生状態を変更することができる。したがって、再生中の音声と同時或いは追い越してユーザが発声してしまうことを抑制することができ、言語の学習効率を高めることが可能となる。
【００４４】
また、入力音声波形が、再生中の音声データのうち、まだ再生されていない部分に対応していると判断した場合には、当該対応部分Ｔ１以降の部分が繰り上げて再生されるので、出力音声波形に対して入力音声波形が同時となっている場合や、出力音声波形に対して入力音声波形が追い越している場合を自動で補正することができる。したがって、再生中の音声データをユーザが追い越してしまうことを抑制することができ、常にシャドーイング学習に適した状態を維持することができる。
【００４５】
また、対応部分Ｔ１以降の部分を繰り上げて再生する際には、現在の再生位置から前記対応部分Ｔ１までは再生を飛ばす再生条件となるので、再生されている音声データをユーザの発声が追い越すと、瞬時に対応部分Ｔ１以降の部分が繰り上げて再生されることになる。
【００４６】
また、入力音声波形が、再生中の音声データのうち、再生されてから所定時間経過した部分に対応していると判断した場合には、当該第二の対応部分Ｔ２が繰り下げて再生されるので、出力音声波形に対して入力音声波形が大幅に遅れている場合を自動で補正することができる。したがって、再生中の音声データに対して大幅にユーザが遅れてしまうことを抑制することができ、常にシャドーイング学習に適した状態を維持することができる。
【００４７】
さらに、第二の対応部分Ｔ２を繰り下げて再生する際には、現在の再生位置で一旦再生を中断する再生条件となるので、再生されている音声データから大幅にユーザの発声が遅れてしまうと、瞬時に第二の対応部分Ｔ２が繰り下げられて再生されることになる。
【００４８】
［５  変形例］
なお、本発明を適用可能な実施形態は、上述した実施形態に限定されることなく、本発明の趣旨を逸脱しない範囲で適宜変更可能である。
【００４９】
例えば、本発明に係る言語学習装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能であり、図１（ｂ）に示すようなタブレットパソコン１Ａに特に好適に適用される。
また、本発明に係るシャドーイング学習制御プログラム８１は、電子辞書１に対して着脱可能な外部情報記憶媒体１２ａに記憶されることとしてもよい。
【００５０】
また、本実施形態では、英和データベース群８２が記憶部８０に記憶されている場合を例示して説明しているが、これらは外部のサーバ装置１００に記憶されていてもよい。この場合、ＣＰＵ２０は、通信部９０を介してサーバ装置１００にある英和データベース群８２を取得する。
【００５１】
また、本実施形態では、対応部分Ｔ１以降の部分を繰り上げて再生する際に、現在の再生位置から対応部分Ｔ１までは再生を飛ばす再生条件とする場合を例示して説明しているが、現在の再生位置から対応部分Ｔ１までの再生速度を速くする再生条件としてもよい。この場合、音声データが一時的に早送りになるもののその部分が飛ばされないために、音声データの流れが維持されていることをユーザに認識させることができる。
【００５２】
また、本実施形態では、第二の対応部分Ｔ２を繰り下げて再生する際に、現在の再生位置で一旦再生を中断する再生条件となる場合を例示して説明しているが、現在の再生速度を遅くする再生条件としてもよい。この場合、音声データが一時的にスロー再生になるもののその部分が飛ばされないために、音声データの流れが維持されていることをユーザに認識させることができる。
【００５３】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５４】
〔付記〕
＜請求項１＞
外部の音声を取得する音声取得手段と、
音声を再生する再生手段と、
前記音声取得手段で取得された取得音声と、前記再生手段で再生中の再生音声とを照合する照合手段と、
前記照合手段による照合結果に基づいて、前記取得音声が設定された時間範囲内に再生された前記再生音声に対応するように当該再生音声の再生条件を制御する制御手段とを備えることを特徴とする言語学習装置。
＜請求項２＞
請求項１記載の言語学習装置において、
前記制御手段は、前記照合手段による照合結果に基づいて、前記取得音声が、前記再生中の前記再生音声のうち、まだ再生されていない部分に対応していると判断した場合には、当該対応部分以降の部分を繰り上げて再生するように再生条件を制御することを特徴とする言語学習装置。
＜請求項３＞
請求項２記載の言語学習装置において、
前記制御手段は、前記対応部分以降の部分を繰り上げて再生する際には、現在の再生位置から前記対応部分までは再生を飛ばす再生条件にすることを特徴とする言語学習装置。
＜請求項４＞
請求項２記載の言語学習装置において、
前記制御手段は、前記対応部分以降の部分を繰り上げて再生する際には、現在の再生位置から前記対応部分までの再生速度を速くする再生条件にすることを特徴とする言語学習装置。
＜請求項５＞
請求項１〜４のいずれか一項に記載の言語学習装置において、
前記制御手段は、前記照合手段による照合結果に基づいて、前記取得音声が、前記再生中の前記再生音声のうち、再生されてから所定時間経過した部分に対応していると判断した場合には、当該第二の対応部分を繰り下げて再生するように再生条件を制御することを特徴とする言語学習装置。
＜請求項６＞
請求項５記載の言語学習装置において、
前記制御手段は、前記第二の対応部分を繰り下げて再生する際には、現在の再生位置で一旦再生を中断する再生条件にすることを特徴とする言語学習装置。
＜請求項７＞
請求項５記載の言語学習装置において、
前記制御手段は、前記第二の対応部分を繰り下げて再生する際には、現在の再生速度を遅くする再生条件にすることを特徴とする言語学習装置。
＜請求項８＞
外部の音声を取得する音声取得ステップと、
音声を再生する再生ステップと、
前記音声取得ステップで取得された取得音声と、前記再生ステップで再生中の再生音声とを照合する照合ステップと、
当該照合結果に基づいて、前記取得音声が設定された時間範囲内に前記再生ステップで再生された前記再生音声に対応するように当該再生音声の再生条件を制御する再生条件制御ステップとを含むことを特徴とする言語学習方法。
＜請求項９＞
言語学習装置が備えるコンピュータを、
外部の音声を取得する音声取得手段と、
音声を再生する再生手段と、
前記音声取得手段で取得された取得音声と、前記再生手段で再生中の再生音声とを照合する照合手段と、
前記照合手段による照合結果に基づいて、前記取得音声が設定された時間範囲内に前記再生手段で再生された前記再生音声に対応するように当該再生音声の再生条件を制御する制御手段として機能させることを特徴とするプログラム。
【符号の説明】
【００５５】
１      電子辞書（言語学習装置）
２０      ＣＰＵ（制御手段、照合手段）
３０      入力部
４０      表示部
５０      音声出力部（再生手段）
５５      音声入力部（音声取得手段）
６０      記録媒体読取部
８０      記憶部
８２      英和データベース群（音声データ記憶手段）
【図１】
0006535999.tif 000002
【図２】
0006535999.tif 000003
【図３】
0006535999.tif 000004
【図４】
0006535999.tif 000005
【図５】
0006535999.tif 000006
【図６】
0006535999.tif 000007